(57)【要約】生産性に優れるシューズアッパー、およびその編成方法を提供する。タン（４）の左側縁部とインステップカバー部（３）とを繋ぐ左側中間編地部（５Ｌ）、およびタン（４）の右側縁部とインステップカバー部（３）とを繋ぐ右側中間編地部（５Ｒ）を備えるシューズアッパー（１）である。このシューズアッパー（１）では、タン（４）の爪先側の端部の幅よりも履き口（７）側の端部の幅が広く形成され、そのタン（４）の両側縁部が、インステップカバー部（３）の厚み方向に重複しており、かつインステップカバー部（３）、タン（４）、および両中間編地部（５Ｌ，５Ｒ）が全て、無縫製で一体に編成されている。
2015146444.tif 000002
【特許請求の範囲】
【請求項１】
着用者の甲側の部分を覆うインステップカバー部と、前記インステップカバー部の爪先側の部分に無縫製で接続され、着用者の甲に宛てがわれるタンと、を備えるシューズアッパーにおいて、
前記タンの左側縁部と前記インステップカバー部とを繋ぐ左側中間編地部、および前記タンの右側縁部と前記インステップカバー部とを繋ぐ右側中間編地部を備え、
前記タンの爪先側の端部の幅よりも履き口側の端部の幅が広く形成され、そのタンの両側縁部が、前記インステップカバー部の厚み方向に重複しており、かつ
前記インステップカバー部、前記タン、および両中間編地部が全て、無縫製で一体に編成されているシューズアッパー。
【請求項２】
前記左側中間編地部と前記右側中間編地部が、インステップカバー部の内側に折り込まれている請求項１に記載のシューズアッパー。
【請求項３】
前記左側中間編地部と前記右側中間編地部が、弾性編糸で編成されている請求項１または請求項２のいずれか１項に記載のシューズアッパー。
【請求項４】
前記インステップカバー部は、靴紐を通す複数の第一鳩目孔を備え、
前記左側中間編地部と前記右側中間編地部は、前記靴紐を通す複数の第二鳩目孔を備え、
前記第二鳩目孔は、前記左側中間編地部と前記右側中間編地部を前記インステップカバー部の内側に折り込んだときに、前記第一鳩目孔に重なる位置に設けられている請求項１〜請求項３のいずれか１項に記載のシューズアッパー。
【請求項５】
互いに対向する一側針床および他側針床を備える横編機を用いて、着用者の甲側の部分を覆うインステップカバー部と、前記インステップカバー部の爪先側の部分に接続され、着用者の甲に宛てがわれるタンと、を無縫製で編成するシューズアッパーの編成方法において、
下記条件Ａ〜Ｃに従って、前記タン、および前記タンの左側縁部と前記インステップカバー部とを繋ぐ左側中間編地部、ならびに前記タンの右側縁部と前記インステップカバー部とを繋ぐ右側中間編地部を、前記インステップカバー部と共に無縫製で編成するシューズアッパーの編成方法。
［条件Ａ］…シューズアッパーの甲側から底側に向かって編成する、あるいはシューズアッパーの底側から甲側に向かって編成する。
［条件Ｂ］…シューズアッパーを構成する各部を順次編成し、その編成の際、少なくとも前記インステップカバー部の左側部分および右側部分はそれぞれ、前記一側針床および前記他側針床で編成する。
［条件Ｃ］…前記タンの爪先側の端部の幅よりも履き口側の端部の幅を広くする。
【請求項６】
互いに対向する一側針床および他側針床を備える横編機を用いて、着用者の甲側の部分を覆うインステップカバー部と、前記インステップカバー部の爪先側の部分に接続され、着用者の甲に宛てがわれるタンと、を無縫製で編成するシューズアッパーの編成方法において、
下記条件Ｄ〜Ｆに従って、前記タン、および前記タンの左側縁部と前記インステップカバー部とを繋ぐ左側中間編地部、ならびに前記タンの右側縁部と前記インステップカバー部とを繋ぐ右側中間編地部を、前記インステップカバー部と共に無縫製で編成するシューズアッパーの編成方法。
［条件Ｄ］…シューズアッパーの踵側から爪先側に向かって編成する、あるいはシューズアッパーの爪先側から踵側に向かって編成する。
［条件Ｅ］…シューズアッパーを構成する各部の左側部分を前記一側針床で針床の長手方向に重複することなく並べた状態で編成すると共に、前記各部の右側部分を前記他側針床で針床の長手方向に重複することなく並べた状態で編成する。
［条件Ｆ］…前記タンの爪先側の端部の幅よりも履き口側の端部の幅を広くする。
【発明の詳細な説明】
【技術分野】
【０００１】
本発明は、シューズアッパー、およびその編成方法に関する。
【背景技術】
【０００２】
シューズは、着用者の足裏を覆うソールカバー部と、着用者の甲側の部分を覆うインステップカバー部と、を有するシューズアッパーを備える。外履きのシューズでは、このシューズアッパーのソールカバー部に、合成樹脂などでできたアウターソールが取り付けられる。【０００３】
近年、シューズアッパーを構成するソールカバー部とインステップカバー部のうち、インステップカバー部を一枚の編地で構成し、生産性良くシューズを作製することが試みられている。例えば、特許文献１では、平面展開された状態のインステップカバー部を一枚の編地で作製し、それをソールカバー部と共に合成樹脂などでできたアウターソールに接合することで、シューズを完成させている。また、特許文献１には、インステップカバー部にタンを一体に編成する技術も開示されている。タンは、着用者の甲に宛てがわれ、シューズアッパーのフィット性を向上させるための部材である。
【先行技術文献】
【特許文献】
【０００４】
【特許文献１】米国特許第８６２１８９１号明細書
【発明の概要】
【発明が解決しようとする課題】
【０００５】
特許文献１の編成方法では、一つの針床上でインステップカバー部の左側部分と右側部分、およびタンを編幅方向に並べた状態で編成している（特許文献１の図３６Ａ〜図３６Ｇなどを参照）。そして、目移しなどを利用して、タンの両側縁部をインステップカバー部の左側部分と右側部分の厚み方向に重複させ、タンとインステップカバー部とを接続している。しかし、タンとインステップカバー部とを重複させる必要から、それぞれを同時に編成することができない。【０００６】
また、特許文献１の編成方法では、インステップカバー部の踵側の部分が繋がっていないため、インステップカバー部の左側部分と右側部分の踵側部分を縫製にて接続しなければならない。この縫製作業は非常に煩雑で、シューズアッパーの生産性を低下させる要因となっている。【０００７】
本発明は上記事情に鑑みてなされたものであり、本発明の目的の一つは、インステップカバー部の厚み方向に重複するタンを簡単に編成することができ、生産性に優れるシューズアッパー、およびその編成方法を提供することにある。
【課題を解決するための手段】
【０００８】
本発明は、着用者の甲側の部分を覆うインステップカバー部と、前記インステップカバー部の爪先側の部分に無縫製で接続され、着用者の甲に宛てがわれるタンと、を備えるシューズアッパーに係る。本発明のシューズアッパーは、前記タンの左側縁部と前記インステップカバー部とを繋ぐ左側中間編地部、および前記タンの右側縁部と前記インステップカバー部とを繋ぐ右側中間編地部を備える。この本発明のシューズアッパーでは、前記タンの爪先側の端部の幅よりも履き口側の端部の幅が広く形成され、そのタンの両側縁部が、前記インステップカバー部の厚み方向に重複しており、かつ前記インステップカバー部、前記タン、および両中間編地部が全て、無縫製で一体に編成されている。【０００９】
本発明のシューズアッパーとして、前記左側中間編地部と前記右側中間編地部が、インステップカバー部の内側に折り込まれている形態を挙げることができる。【００１０】
本発明のシューズアッパーとして、前記左側中間編地部と前記右側中間編地部が、弾性編糸で編成されている形態を挙げることができる。【００１１】
本発明のシューズアッパーとして、前記インステップカバー部は、靴紐を通す複数の第一鳩目孔を備え、前記左側中間編地部と前記右側中間編地部は、前記靴紐を通す複数の第二鳩目孔を備え、前記第二鳩目孔は、前記左側中間編地部と前記右側中間編地部を前記インステップカバー部の内側に折り込んだときに、前記第一鳩目孔に重なる位置に設けられている形態を挙げることができる。【００１２】
また、本発明は、互いに対向する一側針床および他側針床を備える横編機を用いて、着用者の甲側の部分を覆うインステップカバー部と、前記インステップカバー部の爪先側の部分に接続され、着用者の甲に宛てがわれるタンと、を無縫製で編成するシューズアッパーの編成方法に係る。本発明のシューズアッパーの編成方法は、以下に示す第一のシューズアッパーの編成方法と第二のシューズアッパーの編成方法とに分けることができる。【００１３】
第一のシューズアッパーの編成方法は、下記条件Ａ〜Ｃに従って、前記タン、および前記タンの左側縁部と前記インステップカバー部とを繋ぐ左側中間編地部、ならびに前記タンの右側縁部と前記インステップカバー部とを繋ぐ右側中間編地部を、前記インステップカバー部と共に無縫製で編成するシューズアッパーの編成方法である。
［条件Ａ］…シューズアッパーの甲側から底側に向かって編成する、あるいはシューズアッパーの底側から甲側に向かって編成する。
［条件Ｂ］…シューズアッパーを構成する各部を順次編成し、その編成の際、少なくとも前記インステップカバー部の左側部分および右側部分はそれぞれ、前記一側針床および前記他側針床で編成する。
［条件Ｃ］…前記タンの爪先側の端部の幅よりも履き口側の端部の幅を広くする。【００１４】
第二のシューズアッパーの編成方法は、下記条件Ｄ〜Ｆに従って、前記タン、および前記タンの左側縁部と前記インステップカバー部とを繋ぐ左側中間編地部、ならびに前記タンの右側縁部と前記インステップカバー部とを繋ぐ右側中間編地部を、前記インステップカバー部と共に無縫製で編成するシューズアッパーの編成方法である。
［条件Ｄ］…シューズアッパーの踵側から爪先側に向かって編成する、あるいはシューズアッパーの爪先側から踵側に向かって編成する。
［条件Ｅ］…シューズアッパーを構成する各部の左側部分を前記一側針床で針床の長手方向に重複することなく並べた状態で編成すると共に、上記各部の右側部分を前記他側針床で針床の長手方向に重複することなく並べた状態で編成する。
［条件Ｆ］…前記タンの爪先側の端部の幅よりも履き口側の端部の幅を広くする。【００１５】
なお、上記条件ＢおよびＥにおいて、一側針床で編成する左側部分に、表目と裏目が混在した編組織（例えば、リブ組織）を形成する場合、一時的に左側部分の一部が他側針床に移された状態で編成されることは許容される。同様に、他側針床で編成する右側部分に混在組織を形成する場合、一時的に右側部分の一部が一側針床に移された状態で編成されることは許容される。
【発明の効果】
【００１６】
本発明のシューズアッパーは、インステップカバー部の厚み方向に重複するタンを簡単に編成することができ、インステップカバー部に予めタンが一体に編成されているため、生産性に優れる。また、本発明のシューズアッパーは、無縫製で立体的に編成されているため、縫製などのシューズアッパーを立体的にするための後工程が不要である。【００１７】
左側中間編地部と右側中間編地部をインステップカバー部の内側に折り込むことで、両中間編地部が折り込まれて二重になった部分が補強されたシューズアッパーとすることができる。【００１８】
両中間編地部を弾性編糸で編成することで、優れた伸縮性を有する中間編地部を形成することができるため、着用し易く、かつフィット性に優れたシューズアッパーとすることができる。【００１９】
一方、本発明のシューズアッパーの編成方法によれば、上記本発明のシューズアッパーを、複雑な編成動作を用いることなく、インステップカバー部の厚み方向に重複するタンを容易に製造することができる。また、本発明のシューズアッパーの編成方法によれば、立体的なシューズアッパーを編成することができるので、縫製などのシューズアッパーを立体的にするための後工程が不要となる。
【図面の簡単な説明】
【００２０】
【図１】靴紐を取り付けた実施形態１のシューズアッパーの概略上面図である。
【図２】（Ａ）は靴紐を取り付けていない実施形態１のシューズアッパーの概略左側面図、（Ｂ）は左側中間編地部をインステップカバー部の内側に折り込んだシューズアッパーの概略左側面図である。
【図３】（Ａ）は靴紐を取り付けていない実施形態１のシューズアッパーの概略右側面図、（Ｂ）は右側中間編地部をインステップカバー部の内側に折り込んだシューズアッパーの概略右側面図である。
【図４】靴紐を取り付けていない実施形態２のシューズアッパーの概略左側面図である。
【発明を実施するための形態】
【００２１】
以下、本発明のシューズアッパー、およびその編成方法の実施形態を図に基づいて説明する。実施形態では、少なくとも前後に対向する一側針床と他側針床を備え、これらの針床間で編目の目移しが可能な２枚ベッド横編機を用いた。もちろん、使用する横編機は、２枚ベッド横編機に限定されるわけではなく、例えば４枚ベッド横編機であっても良い。
【００２２】
＜実施形態１＞
≪シューズアッパーの構成≫
図１〜図３に示すシューズアッパー１は、着用者の足裏の部分を覆うソールカバー部２と、着用者の甲側の部分を覆うインステップカバー部３と、インステップカバー部３の爪先側の部分に無縫製で接続され、着用者の甲に宛てがわれるタン４と、を備える。タン４に臨むインステップカバー部３の縁には靴紐６が取り付けられている。シューズアッパー１はさらに、ソールカバー部２の外側に図示しないアウターソールを備えていても良い。この実施形態のシューズアッパー１の主たる特徴は次の通りである。
【００２３】
［１］タン４の左側縁部とインステップカバー部３とを繋ぐ左側中間編地部５Ｌ（特に図２（Ａ）参照）と、タン４の右側縁部とインステップカバー部３とを繋ぐ右側中間編地部５Ｒ（特に図３（Ａ）参照）と、を備えている。中間編地部５（５Ｌ，５Ｒ）は、従来のシューズアッパーには備わっていない構成である。本実施形態では、インステップカバー部３と中間編地部５との境界を山折り、中間編地部５とタン４との境界を谷折りすることで、中間編地部５をインステップカバー部３の内部に折り込んでいる。
［２］タン４の爪先側の端部の幅よりも履き口７側の端部の幅が広く形成され、そのタン４の両側縁部が、インステップカバー部３の厚み方向に重複している（図１、図２（Ｂ）、図３（Ｂ）の点線を参照）。
［３］ソールカバー部２、インステップカバー部３、タン４、および両中間編地部５Ｌ，５Ｒが全て、無縫製で一体に編成されている。なお、ソールカバー部２は、インステップカバー部３とは別に用意し、後からインステップカバー部３に接続しても構わない。
なお、中間編地部５やタン４などの各部２，３，４，５の左右の配分は特に限定されず、足の形状に合わせて適宜変更することができるが、当該配分はおよそ１：１とすることが好ましい。
【００２４】
上記［１］〜［３］の構成は、シューズアッパー１の編成方法に起因して形成される。シューズアッパー１の編成方法については後ほど詳しく説明するが、簡単に言えば当該編成方法は、次の条件Ａ〜Ｃに従って、タン４および左側中間編地部５Ｌならびに右側中間編地部５Ｒを、ソールカバー部２およびインステップカバー部３と共に無縫製で編成するシューズアッパーの編成方法である。
［条件Ａ］…シューズアッパー１の甲側から底側に向かって編成する、あるいはシューズアッパー１の底側から甲側に向かって編成する。つまり、シューズアッパー１の長さ方向（踵−爪先方向）が針床の長手方向に向いた状態でシューズアッパー１を編成する。
［条件Ｂ］…ソールカバー部２、インステップカバー部３、中間編地部５、およびタン４を順次編成する。その編成の際、少なくともインステップカバー部３の左側部分（本体左部３Ｌ）および右側部分（本体右部３Ｒ）はそれぞれ、一側針床および他側針床で編成する。
［条件Ｃ］…タン４の爪先側の端部の幅よりも履き口７側の端部の幅を広くする。
【００２５】
上記ソールカバー部２とインステップカバー部３とタン４は、熱融着糸を含む融着編糸で編成することが好ましい。各部２，３，４を融着編糸で編成することで、シューズアッパー１を足型にはめて熱処理したときに、シューズアッパー１を立体的に成形することができる。もちろん、各部２，３，４を、熱融着糸を含まない非融着編糸で編成することもできるし、各部２，３，４の一部を融着編糸、残部を非融着編糸で編成しても構わない。
【００２６】
一方、左側中間編地部５Ｌと右側中間編地部５Ｒは、それ以外の部分２，３，４とは別の給糸口から給糸される編糸で編成される。これら中間編地部５Ｌ，５Ｒは、弾性糸を含む弾性編糸で編成することが好ましい。両中間編地部５Ｌ，５Ｒを弾性編糸で編成することで、シューズアッパー１に足を挿入する際には両中間編地部５Ｌ，５Ｒが伸張するため履き易く、シューズアッパー１を着用した際には両中間編地部５Ｌ，５Ｒが収縮するため、フィット性に優れるシューズアッパー１となる。その他、中間編地部５Ｌ，５Ｒを柔らかい編糸で編成すれば、中間編地部５Ｌ，５Ｒをインステップカバー部３の内部に折り込み易くなる。
【００２７】
インステップカバー部３には、靴紐６（図１参照）を通す複数の第一鳩目孔３ｈが設けられている。また、左側中間編地部５Ｌ（図２（Ａ）参照）と右側中間編地部５Ｒ（図３（Ａ）参照）には、靴紐６を通す複数の第二鳩目孔５ｈが設けられている。これら第二鳩目孔５ｈは、図２（Ｂ），図３（Ｂ）に示すように左側中間編地部５Ｌと右側中間編地部５Ｒをインステップカバー部３の内側に折り込んだときに、第一鳩目孔３ｈに重なる位置に設けられている。
【００２８】
上記構成を備えるシューズアッパー１を使用する場合、まず図２（Ｂ），図３（Ｂ）に示すように、両中間編地部５Ｌ，５Ｒをインステップカバー部３の内側に折り込み、第一鳩目孔３ｈと第二鳩目孔５ｈとを重ねる。そして、その重なった鳩目孔３ｈ（５ｈ）に靴紐６を通すことで、図１に示すシューズアッパー１を完成させることができる。
【００２９】
≪シューズアッパーの編成方法≫
上記シューズアッパー１は、シューズアッパー１の甲側から底側に向かって編成する編成方法α、あるいはシューズアッパー１の底側から甲側に向かって編成する編成方法βによって編成することができる。本実施形態では、図２（Ａ），図３（Ａ）を参照しながら編成方法αの一例について説明する。図２（Ａ），図３（Ａ）における両端にアローヘッドを有する矢印は、編幅方向を示す。
【００３０】
まず、一側針床と他側針床の両方にわたる編出し部を編成する（図２（Ａ），図３（Ａ）において編出し部の両端部の位置を楔型矢印で例示する）。その編出し部に基づいて、タン４の左側部分であるタン左部４Ｌと右側部分であるタン右部４Ｒとをそれぞれ、一側針床と他側針床で編成する。編出し部は、タン４の幅方向中間でなくても構わない。上記タン左部４Ｌとタン右部４Ｒとはそれぞれ別々の給糸口を用いた引き返し編成によって編成することができる。履き口７側で引き返し編成を多く行うことで、タン４の爪先側端部の幅よりもタン４の履き口７側の端部の幅を広くすることができる。このように、編目の増減によって簡単にタン４の成形を行うことができる。ここで、タン４の編成と共に、タン４よりも爪先側にあるインステップカバー部３の爪先側の部分の一部を引き返し編成によって編成しても良い。
【００３１】
タン４の編成が終了したら、左側中間編地部５Ｌと右側中間編地部５Ｒとをそれぞれ、一側針床と他側針床で編成する。左側中間編地部５Ｌはタン左部４Ｌのウエール方向終端部に続けて編成し、右側中間編地部５Ｒはタン右部４Ｒのウエール方向終端部に続けて編成する。これら中間編地部５Ｌ，５Ｒはそれぞれ、別々の給糸口を用いた引き返し編成によって編成することができる。このとき、引き返し編成の位置や回数を変化させることで、両中間編地部５Ｌ，５Ｒのウエール方向終端部のラインをタン４の側に湾曲させても良い。上記ラインは、インステップカバー部３と両中間編地部５Ｌ，５Ｒとの境界線となるラインであり、このラインを湾曲させることで、多様なデザインのシューズアッパー１を作製できる。なお、両中間編地部５Ｌ，５Ｒの第二鳩目孔５ｈは、公知の編目の寄せなどを用いて形成することができる。
【００３２】
次いで、インステップカバー部３の左側部分である本体左部３Ｌと右側部分である本体右部３Ｒとをそれぞれ、一側針床と他側針床で編成する。本体左部３Ｌは左側中間編地部５Ｌのウエール方向終端部に続けて編成し、本体右部３Ｒは右側中間編地部５Ｒのウエール方向終端部に続けて編成する。これら本体左部３Ｌと本体右部３Ｒとは、引き返し編成、Ｃ字状編成、および筒状編成を適宜使い分けて編成することができる。踵と爪先の部分では、Ｃ字状編成あるいは筒状編成を用いて本体左部３Ｌと本体右部３Ｒとを繋げると良い。インステップカバー部３の第一鳩目孔３ｈも、公知の編目の寄せなどを用いて形成することができる。
【００３３】
さらに、ソールカバー部２の左側部分である底左部２Ｌと右側部分である底右部２Ｒとをそれぞれ、一側針床と他側針床で編成する。底左部２Ｌは本体左部３Ｌのウエール方向終端部に続けて編成し、底右部２Ｒは本体右部３Ｒのウエール方向終端部に続けて編成する。これら底左部２Ｌと底右部２Ｒとはそれぞれ、別々の給糸口を用いた引き返し編成によって編成することができる。
【００３４】
最後に、底左部２Ｌと底右部２Ｒとを接続し、シューズアッパー１を完成させる。底左部２Ｌと底右部２Ｒとの接続方法は特に限定されず、例えば公知の伏目処理を利用することができる。あるいは、前後の針床に交互に編目を編成する前後ニットで底左部２Ｌと底右部２Ｒとを接続しても良い。目移しを必要としない前後ニットを用いることで、目移しを必須とする伏目処理よりも極めて短時間で両部２Ｌ，２Ｒ同士を接続できる。後述する熱処理によって接続部（即ち、シューズアッパー１の編終り部）が融着されるので、どのような接続方法を利用して接続部を形成しても、接続部の接続強度は確保される。また、接続部はシューズアッパー１の着用時に見えない位置にあるため、接続部によってシューズアッパー１の見栄えが損なわれることはない。
【００３５】
以上説明した手順に従えば、増し目や減らし目の形成、複雑な目移しなどを行なうことなくシューズアッパー１を編成することができる。それは、シューズアッパー１を構成する各部４，５，３，２が順次編成されるからである。
【００３６】
また、上記シューズアッパー１では、ソールカバー部２、インステップカバー部３、タン４、左側中間編地部５Ｌ、および右側中間編地部５Ｒの編幅方向が、シューズアッパー１の長さ方向に向いている（図２（Ａ），３（Ａ）の両矢印の方向を参照）。シューズアッパー１の編目の向きが揃っていることで、見栄えが良く、履き心地に優れるシューズアッパー１となる。
【００３７】
シューズアッパー１の編成が終了したら、図２（Ｂ），図３（Ｂ）を用いて既に説明したように、両中間編地部５Ｌ，５Ｒをインステップカバー部３の内側に折り込み、インステップカバー部３の鳩目孔３ｈと中間編地部５Ｌ，５Ｒの鳩目孔５ｈとの位置合わせを行う。そして、シューズアッパー１全体を足型にはめて熱処理し、シューズアッパー１を立体的に成形する。また、この熱処理によって、底左部２Ｌと底右部２Ｒとの接続部が融着され、両部２Ｌ，２Ｒが分離することを回避できる。熱処理後は、鳩目孔３ｈ（５ｈ）に靴紐６を通して図１に示すシューズアッパー１を完成させる。
【００３８】
＜変形形態１−１＞
図１に示すシューズアッパー１は、既に説明したように、ソールカバー部２の側から編成を開始し、インステップカバー部３の側で編終る編成方法βによって製造することもできる。その場合、一側針床と他側針床にわたって編出し部を形成し、その編出し部に基づいてソールカバー部２、インステップカバー部３、両中間編地部５Ｌ，５Ｒ、タン４の順に編成し、最後にタン左部４Ｌとタン右部４Ｒとを接続すれば良い。もちろん、シューズアッパー１の左側部分２Ｌ，３Ｌ，４Ｌ，５Ｌおよび右側部分２Ｒ，３Ｒ，４Ｒ，５Ｒはそれぞれ、前記一側針床および前記他側針床で編成する。
【００３９】
＜変形形態１−２＞
実施形態１において、中間編地部５とインステップカバー部３との境界部分や、中間編地部５とタン４との境界部分など、シューズアッパー１の使用時に折り目となる部分に編出し部を配置することも可能である。例えば、左側中間編地部５Ｌと本体左部３Ｌとの間で編出し、一側針床で本体左部３Ｌ→底左部２Ｌの順に編成すると共に、他側針床で左側中間編地部５Ｌ→タン左部４Ｌ→タン右部４Ｒ→右側中間編地部５Ｒ→本体右部３Ｒ→底右部２Ｒの順に編成することを挙げることができる。折り目となる部分に編出し部を配置すれば、編出し部が目立ち難くなり、シューズアッパー１の見栄えを向上させることができる。
【００４０】
また、変形形態１−１においても、各部５，３（５，４）の境界部分に編終わり部を配置し、当該編終わり部を目立ち難くすることも可能である。
【００４１】
＜実施形態２＞
実施形態２では、図１に示すシューズアッパー１を、針床上で縦向きに編成する例を説明する。具体的には、次の条件Ｄ〜Ｆに従って、タン４、およびタン４の左側縁部とインステップカバー部３とを繋ぐ左側中間編地部５Ｌ、ならびにタン４の右側縁部とインステップカバー部３とを繋ぐ右側中間編地部５Ｒを、ソールカバー部２およびインステップカバー部３と共に無縫製で編成する。
［条件Ｄ］…シューズアッパー１の踵側から爪先側に向かって編成する、あるいはシューズアッパー１の爪先側から踵側に向かって編成する。つまり、シューズアッパー１の高さ方向（踵−爪先方向と直交する方向）が針床の長手方向に向いた状態でシューズアッパー１を編成する。
［条件Ｅ］…シューズアッパー１を構成する各部２，３，４，５の左側部分を一側針床で針床の長手方向に重複することなく並べた状態で編成すると共に、各部２，３，４，５の右側部分を他側針床で針床の長手方向に重複することなく並べた状態で編成する。
［条件Ｆ］…タン４の爪先側の端部の幅よりも履き口７側の端部の幅を広くする。
【００４２】
≪踵側から爪先側に向かって編成する例≫
上記条件を満たす実施形態２の編成方法として、まずシューズアッパー１の踵側から爪先側に向かって編成する例を説明する。その説明にあたっては、図４に示すシューズアッパー１の左側面図を利用する。シューズアッパー１の右側面図については図示を省略するが、図４の紙面奥側にシューズアッパー１の右側部分２Ｒ，３Ｒ，４Ｒ，５Ｒがあると考えて良い。なお、実施形態２における編幅方向は、図４の両矢印で示している。
【００４３】
踵側からシューズアッパー１を編成する場合、踵側の編出し部を形成する（編出し部の両端部の位置を楔型矢印で例示する）。その編出し部に基づいて、引き返し編成やＣ字状編成を用いてインステップカバー部３とソールカバー部２を編成する。両部２，３は、中間編地部５およびタン４の直前まで編成する。履き口７のカーブ形状などは、増やしや減らしを利用して成形することができる。なお、踵の編出し方法や踵の形状、増やしや減らしを行う位置は特に限定されない。例えば、国際公開第２０１４/０１３７９０号（以下、文献１）に記載の技術を利用することができる。
【００４４】
一側針床上の本体左部３Ｌおよび底左部２Ｌに重複しない位置に左側中間編地部５Ｌとタン左部４Ｌの編出し部（タン４近傍の楔形矢印を参照）を形成すると共に、他側針床上の本体右部３Ｒおよび底右部２Ｒと重複しない位置に右側中間編地部５Ｒとタン右部４Ｒの編出し部を形成する。そして、一側針床上でシューズアッパー１の左側部分２Ｌ，３Ｌ，４Ｌ，５Ｌを並列させた状態で編成すると共に、他側針床上でシューズアッパー１の右側部分２Ｒ，３Ｒ，４Ｒ，５Ｒを並列させた状態で編成する。タン４の編幅は、減らしによって爪先側に向かうに従って連続的に、あるいは段階的に小さくしていく。そうすることで、タン４の爪先側の端部の幅よりも履き口７側の端部の幅を広くすることができる。
【００４５】
タン４と中間編地部５の編成が終了したら、タン４の爪先側の端部よりも爪先側にあるインステップカバー部３とソールカバー部２を、筒状編成と、増やしや減らしを伴うＣ字状編成と、を組み合わせて編成する。各部２，３の左側部分２Ｌ，３Ｌと右側部分２Ｒ，３Ｒはそれぞれ、一側針床と他側針床で編成する。インステップカバー部３の一部は、タン４のウエール方向終端部に続けて編成する。そうすることで、タン４がインステップカバー部３に無縫製で接続される。最後に、爪先の位置で本体左部３Ｌと本体右部３Ｒとを編成によって接続する。その接続方法も特に限定されず、例えば文献１に記載の技術を利用することができる。
【００４６】
≪爪先側から踵側に向かって編成する例≫
まず、爪先側の編出し部（図示略）を形成する。その編出し部に基づいて、筒状編成や、増やしを伴うＣ字状編成を用いてインステップカバー部３とソールカバー部２を編成する。両部２，３は、タン４の直前まで編成する。
【００４７】
次に、一側針床上でシューズアッパー１の左側部分２Ｌ，３Ｌ，４Ｌ，５Ｌを並列させた状態で編成すると共に、他側針床上でシューズアッパー１の右側部分を並列させた状態で編成する。その際、一側針床と他側針床に係止されるインステップカバー部３の編目のうち、一部の編目のウエール方向に続けてタン４と中間編地部５を編成すると共に、残りの編目のウエール方向に続けてインステップカバー部３を編成する。そうすることで、各部２，３，４，５が無縫製で接続される。また、タン４の編成にあたり、タン４の編幅は、増やしによって踵側に向かうに従って連続的に、あるいは段階的に大きくしていく。そうすることで、タン４の爪先側の端部の幅よりも履き口７側の端部の幅を広くすることができる。
【００４８】
タン４と中間編地部５の編成が終了した後は、タン４と中間編地部５の履き口７側の端部よりも履き口７側にあるインステップカバー部３とソールカバー部２を、引き返し編成やＣ字状編成を用いて編成する。各部２，３の左側部分２Ｌ，３Ｌと右側部分２Ｒ，３Ｒはそれぞれ、一側針床と他側針床で編成する。最後に、踵の位置で本体左部３Ｌと本体右部３Ｒとを編成によって接続する。
【００４９】
実施形態２のシューズアッパー１では、各部２，３，４，５の編幅方向が、シューズアッパー１の高さ方向（図２（Ａ），図３（Ａ）の両矢印に略直交する方向）に向いている。この場合、インステップカバー部３の編成途中に編糸を変更するだけで、シューズアッパー１の高さ方向に伸びるラインをインステップカバー部３に形成することができる。当該ラインの編糸を伸び難い編糸とすればその部分を伸び止めとすることができる。また、このラインはデザイン的なアクセントにもなる。
【００５０】
＜実施形態３＞
実施形態３では、図２（Ａ），図３（Ａ）に基づいて左側中間編地部５Ｌと右側中間編地部５Ｒに抜き糸を編成したシューズアッパーを説明する。
【００５１】
実施形態３のシューズアッパー１では、左側中間編地部５Ｌと右側中間編地部５Ｒの一部あるいは全部を抜き糸で編成する。この場合、シューズアッパー１を完成させた後、抜き糸をシューズアッパー１から取り外すことで、タン４の左側縁部と右側縁部がインステップカバー部３から分離したシューズアッパー１を作製することができる。例えば、中間編地部５Ｌ，５Ｒにおける履き口７側の一部を抜き糸で形成すれば、中間編地部５Ｌ，５Ｒの履き口７側の部分に短い切り込みが形成されたシューズアッパー１となる。
【符号の説明】
【００５２】
１  シューズアッパー
２  ソールカバー部  ２Ｌ  底左部  ２Ｒ  底右部
３  インステップカバー部  ３Ｌ  本体左部  ３Ｒ  本体右部
３ｈ  第一鳩目孔
４  タン  ４Ｌ  タン左部  ４Ｒ  タン右部
５  中間編地部  ５Ｌ  左側中間編地部  ５Ｒ  右側中間編地部
５ｈ  第二鳩目孔
６  靴紐
７  履き口
【図１】
2015146444.tif 000003
【図２】
2015146444.tif 000004
【図３】
2015146444.tif 000005
【図４】
2015146444.tif 000006
【国際調査報告】
2015146444.tif 000007
2015146444.tif 000008